(57)【特許請求の範囲】
【請求項１】
直列に接続した複数個の発光ダイオード、第１のトランジスタのコレクタ、該第１のトランジスタのエミッタに第１の抵抗を接続した直列回路を電源と並列に接続し、
該電源のプラスと該第１のトランジスタのベース間に第２の抵抗を接続し、
該第１のトランジスタのベースと該電源のマイナス間にツェナーダイオードを接続し、
該第１のトランジスタのコレクタと該第１のトランジスタのエミッタ間に第３の抵抗を接続して前記第１のトランジスタがオフの期間前記第３の抵抗を通して電流を流すことで前記直列に接続した複数個の発光ダイオードの電圧降下を生じさせ、
第２のトランジスタのコレクタを該第１のトランジスタのベースに接続し、
該第２のトランジスタのエミッタを該電源のマイナスに接続し、
該第２のトランジスタのベースにパルス電圧発生回路を接続し、
電圧変動があると前記第３の抵抗を流れる電流が変化した分を前記のように接続された第１のトランジスタが吸収することを特徴とする発光ダイオード定電流パルス幅制御駆動回路。
【発明の詳細な説明】
【技術分野】
【０００１】
本発明は定電流を供給する機能と発光ダイオードの輝度調整を行うパルス幅制御機能を併せ持ち、電源電圧変動や発光ダイオードの順方向電圧降下のバラツキがあっても、直列に接続した複数個の発光ダイオードを安定に駆動し、かつ発光ダイオードの輝度調整が容易にできる発光ダイオード定電流駆動回路に関するものである。
【背景技術】
【０００２】
発光ダイオードは消費電力が少なく、長寿命、低温動作が可能などの特長を有しており、今後ますます種々の照明器具分野などで採用されていくものと考えられる。特に、照明器具に発光ダイオードを用いる場合は複数個の発光ダイオードが必要になるので、複数個の発光ダイオードを直列に接続した発光ダイオードモジュールを使用することが多い（特許文献１参照）。
発光ダイオードは電流駆動素子であり、一般の発光ダイオードの駆動電流は信頼性を考慮し、発熱の観点から２０〜２５ｍＡ（一般的に絶対最大定格は３０ｍＡ）となるように設計されている。
【特許文献１】特開２００５−２８５３６９号公報
【０００３】
これまでは発光ダイオードの電源として定電圧電源が適用され、抵抗を用いて発光ダイオードの駆動電流が２０〜２５ｍＡとなるように抵抗値を決めているのが一般的である。抵抗を用いて駆動電流を規定する場合は、発光ダイオードの順方向電圧降下のバラツキの影響を受けて、発光ダイオードモジュール毎に駆動電流が異なるので、抵抗での損失が増加したり発光ダイオードの輝度に差が生ずるなどの問題があるため、最近では定電流駆動方式を採用する方向にある。
定電流化するために定電圧電源の代わりに定電流電源を適用するか、あるいは電源と発光ダイオードモジュールとの間に定電流素子を直列接続して、発光ダイオードの駆動電流が２０〜２５ｍＡとなるように定電流素子の電流を設定している。
【０００４】
発光ダイオードモジュールの輝度を変えるには電流を調整するか、あるいは流れる電流をパルス状にしてパルスのデュティー比を調整する方法が採用されている。電流を調整する方法は簡易であるが、発光ダイオードの発光波長が変化するので、適用範囲が制約される問題があるため、パルスのデュティー比を調整する方法が採用されることが多い。
【０００５】
図７に本出願人が考えた先行発明に係るパルス幅制御回路と発光ダイオードモジュールの定電流回路を示す。１は直流電源、２はパルス幅制御回路、３は複数個の発光ダイオードを直列に接続した発光ダイオードモジュール、４、５は抵抗、６はトランジスタ、７はツェナーダイオードである。
【０００６】
次に、図７に示す回路の動作を説明する。
直流電源１にスイッチング素子を用いて直流電源１の電圧Ｖ０を断続させるパルス幅制御回路２を接続するとともに、発光ダイオードモジュール３に抵抗４、５、トランジスタ６、ツェナーダイオード７で構成される定電流回路１−１を接続し、発光ダイオードモジュール３の発光ダイオードを発光させる。定電流回路１−１の抵抗５は電源のプラスとトランジスタ６のベースに接続されている。
定電流回路１−１ではトランジスタ６のベース電圧はツェナーダイオード７のツェナー電圧にクランプされ一定になる。ツェナーダイオード７のツェナー電圧をＶｚ、トランジスタ６のベース・エミッタ間電圧をＶｂｅとすると、抵抗４の電圧はＶｚ−Ｖｂｅとなる。抵抗４を流れる電流は抵抗４の抵抗値をＲ４とすれば（Ｖｚ−Ｖｂｅ）／  Ｒ４で与えられる。ツェナー電圧Ｖｚ、ベース・エミッタ間電圧Ｖｂｅを一定とすれば、抵抗４の電流（Ｖｚ−Ｖｂｅ）／  Ｒ４も一定になる。すなわち、直流電源１の電圧Ｖ０あるいは発光ダイオードモジュール３の電圧降下が変化しても、発光ダイオードモジュール３の電流が一定になるようにトランジスタ６のコレクタ−エミッタ間電圧が変化する。
【０００７】
従来の輝度調整には図７に示すように定電流回路１−１の他に発光ダイオードモジュール３の輝度を調整するパルス幅制御回路２が必要で、パルス幅制御回路２のスイッチング素子のオン時間とオフ時間の比を変化させることで輝度の調整を実現している。スイッチング素子がオンの時は発光ダイオードモジュール３と定電流回路１−１の直列回路に電圧Ｖ０が印加され、定電流回路１−１によって発光ダイオードモジュール３は定電流駆動される。パルス幅制御回路２のスイッチング素子がオフの時は発光ダイオードモジュール３は発光を停止する。
【０００８】
図８に本出願人が考えた他の先行発明に係るパルス幅制御回路と発光ダイオードモジュールの定電流回路を示す。１は直流電源、２はパルス幅制御回路、３は複数個の発光ダイオードを直列に接続した発光ダイオードモジュール、４、５’は抵抗、６はトランジスタ、７はツェナーダイオードである。
【０００９】
次に、図８に示す回路の動作を説明する。
直流電源１にスイッチング素子を用いて直流電源１の電圧Ｖ０を断続させるパルス幅制御回路２を接続するとともに、発光ダイオードモジュール３に抵抗４、５’、トランジスタ６、ツェナーダイオード７で構成される定電流回路１−１を接続し、発光ダイオードモジュール３の発光ダイオードを発光させる。定電流回路１−１の抵抗５’はトランジスタ６のコレクタとベースに接続されている点が図７の抵抗５と異なる。
【００１０】
定電流回路１−１ではトランジスタ６のベース電圧はツェナーダイオード７のツェナー電圧にクランプされ一定になる。抵抗５’に印加される電圧は直流電源１の電圧Ｖ０、からツェナーダイオード７のツェナー電圧Ｖｚを引いた電圧であるが、図８では電圧は直流電源１の電圧Ｖ０からツェナーダイオード７のツェナー電圧をＶｚを引いた電圧からさらに発光ダイオードモジュール３の電圧降下を引いた電圧になるので、抵抗５’での損失を低減できるメリットがある。これ以外は図７と同様の動作となる。
【発明の開示】
【発明が解決しようとする課題】
【００１１】
複数個の発光ダイオードを直列に接続した発光ダイオードモジュール３を安定に点灯させるには定電流回路１−１が必要であり、発光波長を変えずに輝度を調整するにはパルス幅制御回路２が必要である。
商用電源を入力とする照明器具では電圧Ｖ０が１４０Ｖになるので、パルス幅制御回路２が発光ダイオードモジュール３の駆動電流を高速で断続するには、パルス幅制御回路２には耐圧が２００Ｖ程度以上の高価なスイッチング素子を適用することになる。
また、スイッチング素子を駆動するためのパルス発生回路が必要になるなど発光ダイオードモジュール３の駆動に関連する回路のコストアップ要因になる。
【００１２】
本発明の目的は、発光ダイオードを複数個直列に接続して使用する発光ダイオードモジュールに定電流を供給する定電流駆動回路と輝度調整用パルス幅制御回路を一体化するとともに、安価な低耐圧トランジスタが使用できるようにして、低コストの発光ダイオードモジュール定電流パルス幅制御駆動回路を提供することである。
【課題を解決するための手段】
【００１３】
上記課題を課題を解決するため、請求項１記載の発明は、発光ダイオード定電流パルス幅制御駆動回路に係り、直列に接続した複数個の発光ダイオード、第１のトランジスタのコレクタ、該第１のトランジスタのエミッタに第１の抵抗を接続した直列回路を電源と並列に接続し、該電源のプラスと該第１のトランジスタのベース間に第２の抵抗を接続し、該第１のトランジスタのベースと該電源のマイナス間にツェナーダイオードを接続し、該第１のトランジスタのコレクタと該第１のトランジスタのエミッタ間に第３の抵抗を接続して前記第１のトランジスタがオフの期間前記第３の抵抗を通して電流を流すことで前記直列に接続した複数個の発光ダイオードの電圧降下を生じさせ、第２のトランジスタのコレクタを該第１のトランジスタのベースに接続し、該第２のトランジスタのエミッタを該電源のマイナスに接続し、該第２のトランジスタのベースにパルス電圧発生回路を接続し、電圧変動があると前記第３の抵抗を流れる電流が変化した分を前記のように接続された第１のトランジスタが吸収することを特徴とする。
【発明の効果】
【００１６】
本発明によれば、複数の発光ダイオードを直列に接続した発光ダイオードモジュールを一定の電流で駆動するトランジスタ、抵抗、ツェナーダイオードで構成される定電流駆動回路と発光ダイオードモジュールの輝度調整用のパルス幅制御回路を一体化することで回路構成を簡素化し、さらに、定電流駆動回路のトランジスタに並列の抵抗を接続することで低耐圧のトランジスタが適用できるので、低コストの定電流パルス幅制御駆動回路を実現することが可能となり、さらに発光ダイオードモジュールを駆動するトランジスタがオフの期間、前記直列に接続した複数個の発光ダイオードの電圧降下を生じさせる抵抗を設けたので、耐圧の低い安価なトランジスタを使用できるようになる。
【発明を実施するための最良の形態】
【００１７】
〈実施例１〉
本発明に関わる発光ダイオードモジュールの定電流パルス幅制御駆動回路の実施例を図１に示す。１は直流電源、３は複数個の発光ダイオードを直列に接続した発光ダイオードモジュール、４、５、は抵抗、６、８はトランジスタ、７はツェナーダイオード、９はパルス発生回路である。
【００１８】
次に、図１に示す回路の動作を説明する。
直流電源１に抵抗４、５、トランジスタ６、ツェナーダイオード７で構成される定電流回路１−１を発光ダイオードモジュール３と直列に接続し発光ダイオードを発光させる。
トランジスタ６のベース電圧はツェナーダイオード７のツェナー電圧にクランプされ、ツェナー電圧をＶｚ、トランジスタ７のベース・エミッタ間電圧をＶｂｅとすると、抵抗４の電圧はＶｚ−Ｖｂｅとなり、抵抗４を流れる電流は抵抗４の抵抗値をＲ４とすれば（Ｖｚ−Ｖｂｅ）／  Ｒ４で与えられる。ツェナー電圧Ｖｚ、ベース・エミッタ間電圧Ｖｂｅを一定とすれば、抵抗４の電流は（Ｖｚ−Ｖｂｅ）／  Ｒ４となり一定になる。すなわち、直流電圧Ｖ０あるいは発光ダイオードモジュール３の電圧降下が変化しても、発光ダイオードモジュール３の電流が一定になるようにトランジスタ６のコレクタ−エミッタ間電圧が変化する。この動作は図７に示す従来の定電流駆動回路と同じである。
【００１９】
ツェナーダイオード７と並列にトランジスタ８が接続され、トランジスタ８のベースにはパルス発生器９が接続されている。トランジスタ８はパルス発生器９からのパルス電圧でオンするとツェナーダイオード７は短絡されるので、トランジスタ６のベース電流は０となり、トランジスタ６はオフとなる。すなわち、発光ダイオードモジュール３の電流は遮断されるので消灯する。パルス発生器９からのパルス電圧がなくなると、トランジスタ８はオフとなるのでトランジスタ６のベースには電流が流れ、定電流回路１−１は発光ダイオードモジュール３に定電流を供給し発光ダイオードモジュール３をは点灯させる。ここで、パルス発生器９からのパルス電圧の有りの時間と無しの時間の比を制御すること、すなわち、パルス幅制御することで発光ダイオードモジュール３の輝度を駆動電流を変えることなく調整することができる。
トランジスタ６がオフとなると発光ダイオードモジュール３の電圧降下は期待できないので、トランジスタ６には電源電圧が印加されることになる。電源電圧が１４０Ｖである場合はトランジスタ６の耐圧は２００Ｖ以上が必要になる。
【００２０】
〈実施例２〉
本発明に関わる発光ダイオードモジュールの定電流パルス幅制御駆動回路の実施例２を図２に示す。１は直流電源、３は複数個の発光ダイオードを直列に接続した発光ダイオードモジュール、４、５、１０は抵抗、６、８はトランジスタ、７はツェナーダイオード、９はパルス発生回路である。
【００２１】
次に、図２に示す回路の動作を説明する。
直流電源１に抵抗４、５、トランジスタ６、ツェナーダイオード７で構成される定電流回路１−１を発光ダイオードモジュール３と直列に接続し発光ダイオードを発光させる。
トランジスタ６のベース電圧はツェナーダイオード７のツェナー電圧にクランプされ、ツェナー電圧をＶｚ、トランジスタ７のベース・エミッタ間電圧をＶｂｅとすると、抵抗４の電圧はＶｚ−Ｖｂｅとなり、抵抗４を流れる電流は抵抗４の抵抗値をＲ４とすれば（Ｖｚ−Ｖｂｅ）／  Ｒ４で与えられる。ツェナー電圧Ｖｚ、ベース・エミッタ間電圧Ｖｂｅを一定とすれば、抵抗４の電流は（Ｖｚ−Ｖｂｅ）／  Ｒ４となり一定になる。直流電圧Ｖ０あるいは発光ダイオードモジュール３の電圧降下が変化すると抵抗１０を流れる電流が変化するが、抵抗４の電流は一定なので抵抗１０を流れる電流の変化分はトランジスタ６が吸収する。すなわち、発光ダイオードモジュール３の電流は一定になるようにトランジスタ６のコレクタ−エミッタ間電圧が変化する。
【００２２】
ツェナーダイオード７と並列にトランジスタ８が接続され、トランジスタ８のベースにはパルス発生器９が接続されている。トランジスタ８はパルス発生器９からのパルス電圧でオンするとツェナーダイオード７は短絡されるので、トランジスタ６のベース電流は０となり、トランジスタ６はオフとなる。すなわち、発光ダイオードモジュール３の電流は遮断されるので消灯する。パルス発生器９からのパルス電圧がなくなると、トランジスタ８はオフとなるのでトランジスタ６のベースには電流が流れ、定電流回路１−１は発光ダイオードモジュール３に定電流を供給し発光ダイオードモジュール３を点灯させる。ここで、パルス発生器９からのパルス電圧の有りの時間と無しの時間の比を制御すること、すなわち、パルス幅制御することで発光ダイオードモジュール３の輝度を駆動電流を変えることなく調整することができる。
トランジスタが６はオフとなると発光ダイオードモジュール３の電圧降下は期待できないので、トランジスタ６には電源電圧が印加されることになる。電源電圧が１４０Ｖである場合はトランジスタ６の耐圧は２００Ｖ以上が必要になる。
抵抗１０をトランジスタ６のコレクタとエミッタ間に接続すると、トランジスタ６がオフの間は抵抗１０を通して電流が流れるので、発光ダイオードモジュール３の電圧降下が期待できるので、トランジスタ６の耐圧は５０Ｖ程度でよいから安価なトランジスタが適用できる。
【００２３】
〈実施例３〉
本発明に関わる発光ダイオードモジュールの定電流パルス幅制御駆動回路の実施例３を図３に示す。１は直流電源、３は複数個の発光ダイオードを直列に接続した発光ダイオードモジュール、４、５’、は抵抗、６、８はトランジスタ、７はツェナーダイオード、９はパルス発生回路である。
【００２４】
次に、図３に示す回路の動作を説明する。
直流電源１に抵抗４、５’、トランジスタ６、ツェナーダイオード７で構成される定電流回路１−１を発光ダイオードモジュール３と直列に接続し発光ダイオードを発光させる。
トランジスタ６のベース電圧はツェナーダイオード７のツェナー電圧にクランプされ、ツェナー電圧をＶｚ、トランジスタ７のベース・エミッタ間電圧をＶｂｅとすると、抵抗４の電圧はＶｚ−Ｖｂｅとなり、抵抗４を流れる電流は抵抗４の抵抗値をＲ４とすれば（Ｖｚ−Ｖｂｅ）／  Ｒ４で与えられる。ツェナー電圧Ｖｚ、ベース・エミッタ間電圧Ｖｂｅを一定とすれば、抵抗４の電流は（Ｖｚ−Ｖｂｅ）／  Ｒ４となり一定になる。直流電圧Ｖ０あるいは発光ダイオードモジュール３の電圧降下が変化すると抵抗５’を流れる電流が変化するので、発光ダイオードモジュール３の電流は抵抗４を流れる電流（Ｖｚ−Ｖｂｅ）／  Ｒ４に抵抗５’の電流が加算されるが、電流（Ｖｚ−Ｖｂｅ）／  Ｒ４に比較し無視できるので実用上問題ない。
【００２５】
ツェナーダイオード７と並列にトランジスタ８が接続され、トランジスタ８のベースにはパルス発生器９が接続されている。トランジスタ８はパルス発生器９からのパルス電圧でオンするとツェナーダイオード７は短絡されるので、トランジスタ６のベース電流は０となり、トランジスタ６はオフとなる。すなわち、発光ダイオードモジュール３の電流は遮断されるので消灯する。パルス発生器９からのパルス電圧がなくなると、トランジスタ８はオフとなるのでトランジスタ６のベースには電流が流れ、定電流回路１−１は発光ダイオードモジュール３に定電流を供給し発光ダイオードモジュール３を点灯させる。ここで、パルス発生器９からのパルス電圧の有りの時間と無しの時間の比を制御すること、すなわち、パルス幅制御することで発光ダイオードモジュール３の輝度を駆動電流を変えることなく調整することができる。
トランジスタ６がオフの間は抵抗５’を通して電流が流れるので、発光ダイオードモジュール３の電圧降下が期待できる、トランジスタ６の耐圧は５０Ｖ程度でよく、安価なトランジスタが適用できる。
【００２６】
以上の実施例１〜３では、ＮＰＮトランジスタを用いて本発明の回路を実現したが、ＰＮＰトランジスタを用いることで同様の回路を実現することができることは、言うまでもない。以下に、ＰＮＰトランジスタを用いた実施例４〜６をそれぞれ実施例１〜３に対応させて簡単に説明する。
【００２７】
〈実施例４〉
本発明に関わる発光ダイオードモジュールの定電流駆動回路をＰＮＰトランジスタを用いて実現した実施例４を図４に示す。図４において、４１は直流電源、４３は複数個の発光ダイオードを直列に接続した発光ダイオードモジュール、４４、４５、は抵抗、４６、４８はＰＮＰトランジスタ、４７はツェナーダイオード、４９はパルス発生回路である。
【００２８】
次に、図４に示す回路の動作を説明する。
直流電源４１に抵抗４４、４５、トランジスタ４６、ツェナーダイオード４７で構成される定電流回路１−１を発光ダイオードモジュール４３と直列に接続し発光ダイオードを発光させる。
トランジスタ４６のベース電圧はツェナーダイオード４７のツェナー電圧にクランプされ、ツェナー電圧をＶｚ、トランジスタ７のベース・エミッタ間電圧をＶｂｅとすると、抵抗４４の電圧はＶｚ−Ｖｂｅとなり、抵抗４４を流れる電流は抵抗４４の抵抗値をＲ４とすれば（Ｖｚ−Ｖｂｅ）／  Ｒ４で与えられる。ツェナー電圧Ｖｚ、ベース・エミッタ間電圧Ｖｂｅを一定とすれば、抵抗４４の電流は（Ｖｚ−Ｖｂｅ）／  Ｒ４となり一定になる。すなわち、直流電圧Ｖ０あるいは発光ダイオードモジュール４３の電圧降下が変化しても、発光ダイオードモジュール４３の電流が一定になるようにトランジスタ４６のコレクタ−エミッタ間電圧が変化する。
【００２９】
ツェナーダイオード４７と並列にトランジスタ４８が接続され、トランジスタ４８のベースにはパルス発生器４９が接続されている。トランジスタ４８はパルス発生器４９からのパルス電圧がないときオンするので、このときツェナーダイオード４７は短絡され、トランジスタ４６のベース電流は０となり、トランジスタ４６はオフとなる。すなわち、発光ダイオードモジュール４３の電流は遮断されるので消灯する。また、パルス発生器４９からパルス電圧がでると、トランジスタ４８はオフとなるので、トランジスタ４６のベースには電流が流れ、定電流回路１−１は発光ダイオードモジュール４３に定電流を供給し発光ダイオードモジュール４３を点灯させる。ここで、パルス発生器４９からのパルス電圧の有りの時間と無しの時間の比を制御すること、すなわち、パルス幅制御することで発光ダイオードモジュール４３の輝度を駆動電流を変えることなく調整することができる。
トランジスタが４６はオフとなると発光ダイオードモジュール４３の電圧降下は期待できないので、トランジスタ４６には電源電圧が印加されることになる。電源電圧が１４０Ｖである場合はトランジスタ４６の耐圧は２００Ｖ以上が必要になる。
【００３０】
〈実施例５〉
本発明に関わる発光ダイオードモジュールの定電流駆動回路をＰＮＰトランジスタを用いて実現した実施例５を図５に示す。図５において、４１は直流電源、４３は複数個の発光ダイオードを直列に接続した発光ダイオードモジュール、４４、４５、５０は抵抗、４６、４８はＰＮＰトランジスタ、４７はツェナーダイオード、４９はパルス発生回路である。
【００３１】
図５に示す回路の動作は、図４と原則同じである。違う点は抵抗５０をＰＮＰトランジスタ４６のエミッタ−コレクタ間に接続している点である。抵抗５０をトランジスタ４６のコレクタとエミッタ間に接続すると、トランジスタ４６がオフの間は抵抗５０を通して電流が流れるので、発光ダイオードモジュール４３の電圧降下が期待できるので、トランジスタ４６の耐圧は５０Ｖ程度でよいから安価なトランジスタが適用できる。
【００３２】
〈実施例６〉
本発明に関わる発光ダイオードモジュールの定電流駆動回路をＰＮＰトランジスタを用いて実現した実施例６を図６に示す。図６において、４１は直流電源、４３は複数個の発光ダイオードを直列に接続した発光ダイオードモジュール、４４、４５’は抵抗、４６、４８はＰＮＰトランジスタ、４７はツェナーダイオード、４９はパルス発生回路である。
【００３３】
図６に示す回路の動作は、図４と原則同じである。違う点は図４でＰＮＰトランジスタ４６のベースと発光ダイオードモジュール４３のカソード間に接続していた抵抗４５をＰＮＰトランジスタ４６のベースと発光ダイオードモジュール４３のアノード間に抵抗４５’として接続した点である。
直流電圧Ｖ０あるいは発光ダイオードモジュール４３の電圧降下が変化すると抵抗４５’を流れる電流が変化するので、発光ダイオードモジュール４３の電流は抵抗４４を流れる電流（Ｖｚ−Ｖｂｅ）／  Ｒ４に抵抗４５’の電流が加算されるが、電流（Ｖｚ−Ｖｂｅ）／  Ｒ４に比較し無視できるので実用上問題ない。
トランジスタ４６がオフの間は抵抗４５’を通して電流が流れるので、発光ダイオードモジュール４３の電圧降下が期待でき、トランジスタ４６の耐圧は５０Ｖ程度でよく、安価なトランジスタが適用できる。
【００３４】
本発明によれば、複数の発光ダイオードを直列に接続した発光ダイオードモジュールを一定の電流で駆動するトランジスタ、抵抗、ツェナーダイオードで構成される定電流駆動回路と発光ダイオードモジュールの輝度調整用のパルス幅制御回路を一体化することで回路構成を簡素化し、さらに、定電流駆動回路のトランジスタに並列の抵抗を接続することで低耐圧のトランジスタが適用できるので、低コストの定電流パルス幅制御駆動回路を実現することが可能となる。
【図面の簡単な説明】
【００３５】
【図１】本発明の発光ダイオードモジュール定電流パルス幅制御駆動回路の実施例１である。
【図２】本発明の発光ダイオードモジュール定電流パルス幅制御駆動回路の実施例２である。
【図３】本発明の発光ダイオードモジュール定電流パルス幅制御駆動回路の実施例３である。
【図４】図１のトランジスタとしてＰＮＰトランジスタを用いて実現した発光ダイオードモジュール定電流パルス幅制御駆動回路の実施例４である。
【図５】図２のトランジスタとしてＰＮＰトランジスタを用いて実現した発光ダイオードモジュール定電流パルス幅制御駆動回路の実施例５である。
【図６】図２のトランジスタとしてＰＮＰトランジスタを用いて実現した発光ダイオードモジュール定電流パルス幅制御駆動回路の実施例６である。
【図７】本出願人が考えた発光ダイオードモジュール定電流パルス幅制御駆動回路の先行発明１である。
【図８】本出願人が考えた発光ダイオードモジュール定電流パルス幅制御駆動回路の先行発明２である。
【符号の説明】
【００３６】
１、４１  直流電源
３、４３  発光ダイオードモジュール
４、５、５’、４４、４５、４５’  抵抗
６、８  トランジスタ（ＮＰＮ）
４６、４８  トランジスタ（ＮＰＮ）
４、４７  ツェナーダイオード
９、４９  パルス発生回路
【図１】
0004435107.tif 000002
【図２】
0004435107.tif 000003
【図３】
0004435107.tif 000004
【図４】
0004435107.tif 000005
【図５】
0004435107.tif 000006
【図６】
0004435107.tif 000007
【図７】
0004435107.tif 000008
【図８】
0004435107.tif 000009